(57)【要約】【課題】登録装置と精算装置とを分離して配置する場合でも、製造コストが低いＰＯＳシステムを提供する。【解決手段】商品の登録処理を実行する登録装置と、商品の精算処理を実行する精算装置と、を分離して配置するＰＯＳシステムにおいて、ＰＯＳシステムは、登録処理と精算処理との両方を実行する処理部を備える。また、処理部は、登録装置操作部が操作入力を受け付けた場合、登録装置印刷部に指示をして印刷を実行させ、精算装置操作部が操作入力を受け付けた場合には、精算装置印刷部に指示をして印刷を実行させてもよい。【選択図】図３
2018067364.tif 000002
【特許請求の範囲】
【請求項１】
店員の操作によって商品の登録処理を受け付ける登録部と、
客の操作によって前記商品の精算処理を受け付ける精算部と、
前記登録処理と、前記精算処理と、の両方を実行する処理部と、
前記登録部で受け付けた前記登録処理のデータを自装置以外の他の精算装置に送信する送信部と、
を備えることを特徴とする精算装置。
【請求項２】
他の精算装置が備える他の前記登録部で受け付けた前記登録処理のデータを受信する受信部を備えることを特徴とする、請求項１に記載の精算装置。
【請求項３】
前記精算部において前記精算処理の情報を入力かつ表示する客用表示部と、
前記登録部において前記登録処理の情報を入力かつ表示する店員用表示部と、
前記客用表示部又は前記店員用表示部に対する操作に基づいて、前記精算部又は前記登録部の動作状態を変更する変更部と
を備え、
前記変更部は、前記客用表示部又は前記店員用表示部のうちの一方において操作を受け付けた場合、前記客用表示部又は前記店員用表示部のうちの他方の装置の動作状態を変更することを特徴とする、請求項１又は請求項２に記載の精算装置。
【請求項４】
前記変更部は、前記精算部又は前記登録部の状態を、利用状態又は休止状態に変更することを特徴とする、請求項３に記載の精算装置。
【請求項５】
登録部に設けられた登録部印刷部と、
精算部に設けられた精算部印刷部と、
前記登録部印刷部又は前記精算部印刷部へ印刷指示を行う印刷指示部と
を備え、
前記印刷指示部は、
前記登録部で前記印刷指示を行った場合、前記登録部印刷部又は前記精算部印刷部へ印刷指示を行い、
前記精算部で前記印刷指示を行った場合、前記登録部印刷部又は前記精算部印刷部へ印刷指示を行うことを特徴とする、請求項１から請求項４のいずれか一項に記載の精算装置。
【請求項６】
精算装置のコンピュータを、
店員の操作によって商品の登録処理を受け付ける登録手段と、
客の操作によって前記商品の精算処理を受け付ける精算手段と、
前記登録処理と、前記精算処理と、の両方を実行する処理手段と、
前記登録手段で受け付けた前記登録処理のデータを自装置以外の他の精算装置に送信する送信手段として機能させるためのプログラム。
【請求項７】
店員の操作によって商品の登録処理を受け付ける登録部と、
客の操作によって前記商品の精算処理を受け付ける精算部と、
前記登録処理と、前記精算処理と、の両方を実行する処理部と、
前記登録部で受け付けた前記登録処理のデータを自装置の精算部もしくは自装置以外の他の精算装置に送信する送信部と、を有する複数の精算装置
を備えるＰＯＳシステム。
【発明の詳細な説明】
【技術分野】
【０００１】
本発明は、精算装置、プログラム及びＰＯＳ（Ｐｏｉｎｔ  Ｏｆ  Ｓａｌｅ）システムに関する。
【背景技術】
【０００２】
商品の登録処理を実行する登録部と、商品の精算処理を実行する精算部とを有する装置（ＰＯＳシステム）が、特許文献１に開示されている。
【先行技術文献】
【特許文献】
【０００３】
【特許文献１】特許第２７４９２６０号公報
【発明の概要】
【発明が解決しようとする課題】
【０００４】
ところで、ＰＯＳシステムでは、商品の登録処理及び精算処理を迅速に行うため、登録装置と精算装置とを分離して配置する場合がある。しかしながら、登録装置と精算装置とを分離して配置するＰＯＳシステムは、製造コストが高い、という問題がある。
【０００５】
本発明は、前記の点に鑑みてなされたものであり、登録装置と精算装置とを分離して配置する場合でも、製造コストが低い精算装置、プログラム及びＰＯＳシステムを提供する
ことを目的とする。
【課題を解決するための手段】
【０００６】
本発明の一態様は、店員の操作によって商品の登録処理を受け付ける登録部と、客の操作によって前記商品の精算処理を受け付ける精算部と、前記登録処理と、前記精算処理と、の両方を実行する処理部と、前記登録部で受け付けた前記登録処理のデータを自装置以外の他の精算装置に送信する送信部と、を備えることを特徴とする精算装置である。
この構成により、精算部は、客の操作入力によって前記商品の精算処理を受け付ける。処理部は、登録処理と精算処理との両方を実行する。送信部は、登録部で受け付けた登録処理のデータを自装置以外の他の精算装置に送信する。これにより、精算装置を備えるＰＯＳシステムは、登録装置と精算装置とを分離して配置する場合でも、利便性が向上した上で、製造コストが低い。また、ＰＯＳシステムは、店員が登録装置を操作して精算装置を指定する際に、指定された精算装置と登録装置とが一つの処理基板により動作しているので、精算する対象の取引データを通信回線に送信することなく、当該処理基板の記憶媒体から取引データを直接読み出すだけでよい。これにより、ＰＯＳシステムは、取引データの読み出し速度が早く、通信回線がダウンした場合でもバスを介して取引データに基づく精算を実行することができる。
【０００７】
本発明の一態様は、他の精算装置が備える他の前記登録部で受け付けた前記登録処理のデータを受信する受信部を備えることを特徴とする精算装置である。
【０００８】
本発明の一態様は、前記精算部において前記精算処理の情報を入力かつ表示する客用表示部と、前記登録部において前記登録処理の情報を入力かつ表示する店員用表示部と、前記客用表示部又は前記店員用表示部に対する操作に基づいて、前記精算部又は前記登録部の動作状態を変更する変更部とを備え、前記変更部は、前記客用表示部又は前記店員用表示部のうちの一方において操作を受け付けた場合、前記客用表示部又は前記店員用表示部のうちの他方の装置の動作状態を変更することを特徴とする、請求項１又は請求項２に記載の精算装置である。
【０００９】
本発明の一態様は、前記変更部は、前記精算部又は前記登録部の状態を、利用状態又は休止状態に変更することを特徴とする精算装置である。
【００１０】
本発明の一態様は、登録部に設けられた登録部印刷部と、精算部に設けられた精算部印刷部と、前記登録部印刷部又は前記精算部印刷部へ印刷指示を行う印刷指示部とを備え、前記印刷指示部は、前記登録部で前記印刷指示を行った場合、前記登録部印刷部又は前記精算部印刷部へ印刷指示を行い、前記精算部で前記印刷指示を行った場合、前記登録部印刷部又は前記精算部印刷部へ印刷指示を行うことを特徴とする精算装置である。
本発明の一態様は、精算装置のコンピュータを、店員の操作によって商品の登録処理を受け付ける登録手段と、客の操作によって前記商品の精算処理を受け付ける精算手段と、前記登録処理と、前記精算処理と、の両方を実行する処理手段と、前記登録手段で受け付けた前記登録処理のデータを自装置以外の他の精算装置に送信する送信手段として機能させるためのプログラムである。
本発明の一態様は、店員の操作によって商品の登録処理を受け付ける登録部と、客の操作によって前記商品の精算処理を受け付ける精算部と、前記登録処理と、前記精算処理と、の両方を実行する処理部と、前記登録部で受け付けた前記登録処理のデータを自装置の精算部もしくは自装置以外の他の精算装置に送信する送信部と、を有する複数の精算装置を備えるＰＯＳシステムである。
【発明の効果】
【００１１】
本発明によれば、精算部は、客の操作入力によって前記商品の精算処理を受け付ける。処理部は、登録処理と精算処理との両方を実行する。送信部は、登録部で受け付けた登録処理のデータを自装置以外の他の精算装置に送信する。これにより、精算装置を備えるＰＯＳシステムは、登録装置と精算装置とを分離して配置する場合でも、利便性が向上した上で、製造コストが低い。
【図面の簡単な説明】
【００１２】
【図１】本発明の一実施形態における、ＰＯＳシステムの配置例を示す俯瞰図である。
【図２】本発明の一実施形態における、ＰＯＳシステムの構成例を示すブロック図である。
【図３】本発明の一実施形態における、登録装置及び精算装置の構成例を示すブロック図である。
【図４】本発明の一実施形態における、店員用表示部に表示される画像の例を示す図である。
【図５】本発明の一実施形態における、精算装置表示部に表示される精算処理の初期画面の例を示す図である。
【図６】本発明の一実施形態における、精算装置及び登録装置の少なくとも一方を休止させるための画像の例を示す図である。
【図７】本発明の一実施形態における、精算装置が休止中であることを通知する画像の例を示す図である。
【図８】本発明の一実施形態における、精算処理の初期画面を再表示させるための画像の例を示す図である。
【図９】本発明の一実施形態における、売上点検するための画像の例を示す図である。
【発明を実施するための形態】
【００１３】
本発明の一実施形態について図面を参照して詳細に説明する。図１には、ＰＯＳシステムの配置例が、俯瞰図により示されている。ＰＯＳシステムは、登録装置２０と、精算装置３０とを備える。ＰＯＳシステムは、複数の登録装置２０を備えてもよい。すなわち、ＰＯＳシステムは、登録装置２０‐１〜２０‐ｎ（ｎは１以上の整数）を備えてもよい。ＰＯＳシステムは、複数の精算装置３０を備えてもよい。すなわち、ＰＯＳシステムは、精算装置３０‐１〜３０‐ｍ（ｍは１以上の整数）を備えてもよい。なお、ＰＯＳシステムは、アシストモニタを有するアテンダント端末（不図示）を、さらに備えてもよい。
【００１４】
登録装置２０‐１は、カウンタ１００‐１の上に配置され、店員２００により操作される。精算装置３０‐２は、カウンタ１００‐１の横に配置され、登録装置２０‐１で商品の登録を終えた客４００により操作される。精算装置３０‐２は、カウンタ１００‐１の隣のカウンタ１００‐２の近傍に、精算装置３０‐１とは反対向きに配置される。精算装置３０‐２は、登録装置２０‐１で商品の登録を終えた客４０１により操作される。このように、登録装置２０‐１と、精算装置３０‐１と、精算装置３０‐２とが、一つのレーンを構成する。
【００１５】
店には、複数のレーンが構成されていてもよい。また、カウンタ１００‐１と、その隣のカウンタ１００‐２との間隔は、約１５００［ｍｍ］でもよい。つまり、登録装置２０‐２は、カウンタ１００‐１の隣のカウンタ１００‐２の上に配置され、店員２０１により操作される。精算装置３０‐３は、カウンタ１００‐２の横に配置され、登録装置２０‐２で商品の登録を終えた客４０２により操作される。精算装置３０‐４は、カウンタ１００‐２の隣のカウンタ１００‐３（不図示）の近傍に、精算装置３０‐３とは反対向きに配置される。精算装置３０‐４は、登録装置２０‐２で商品の登録を終えた客４０３により操作される。このように、登録装置２０‐２と、精算装置３０‐３と、精算装置３０‐４とが、他の一つのレーンを構成する。
【００１６】
この構成により、例えば、店員２００は、精算装置３０‐１又は精算装置３０‐２に客を容易に誘導することができる。商品の登録を終えた客４００は、登録装置２０‐１からわずかに移動するだけで、精算装置３０‐１まで行くことができる。また、客４００は、商品が入ったカート（不図示）を、客４０１のじゃまにならないように置くことができる。また、店員２００は、確実に精算処理を客４００に実行させることができる。客４０１についても同様である。
【００１７】
図２には、ＰＯＳシステムの構成例が、ブロック図により示されている。ＰＯＳシステムは、ストアコントローラ１０と、登録装置２０‐１〜２０‐ｎと、精算装置３０‐１〜３０‐ｍとを備える。ストアコントローラ１０と、登録装置２０‐１〜２０‐ｎと、精算装置３０‐１〜３０‐ｍとは、通信回線１１を介して互いに通信可能となっている。以下、登録装置２０‐１〜２０‐ｎに共通する事項については、符号ｎを省略して、「登録装置２０」と表記する。また、精算装置３０‐１〜３０‐ｍに共通する事項については、符号ｍを省略して、「精算装置３０」と表記する。
【００１８】
ストアコントローラ１０は、登録装置２０及び精算装置３０の上位装置である。ストアコントローラ１０は、商品ファイル（商品マスタ）を登録装置２０に送信して、その登録装置２０に商品ファイルを予め記憶させる。商品ファイルは、商品の各種情報（例えば、商品の品番、商品の値段）が登録されているファイルである。
【００１９】
登録装置２０は、商品の買上情報（取引データ）を、ストアコントローラ１０に取引毎に登録する。ここで、商品の買上情報は、例えば、一取引において購入された商品の個数情報を含む。登録装置２０は、商品の買上情報に基づいて精算処理を実行する精算装置３０を、店員による操作入力に基づいて取引毎に指定する。ここで、登録装置２０は、同じレーン（図１を参照）に配置された精算装置３０を、店員による操作入力に基づいて指定する。
【００２０】
精算装置３０は、店員による操作入力に基づいて指定された場合、精算処理を実行する取引の商品の買上情報をストアコントローラ１０から取得し、取得した商品の買上情報に基づいて、精算処理を実行する。
【００２１】
図３には、登録装置及び精算装置の構成例が、ブロック図により示されている。図１を用いて説明したように、精算装置３０と登録装置２０とは、予め定められた距離だけ離されて配置される。精算装置３０は、同じレーンに配置された登録装置２０を制御してもよい。ここで、１台の精算装置３０（一つの処理基板）により複数台の登録装置２０が制御されてもよいが、図３では、一例として、１台の精算装置３０により１台の登録装置２０が制御されるものとして説明を続ける。
【００２２】
精算装置３０は、ＣＰＵ３０１（Ｃｅｎｔｒａｌ  Ｐｒｏｃｅｓｓｉｎｇ  Ｕｎｉｔ）と、ＲＯＭ３０２と、ＲＡＭ３０３と、精算装置スキャナ部３０４と、精算装置表示部３０５と、精算装置操作部３０６と、通信部３０７と、精算装置音声出力部３０８と、精算装置印刷部３０９（精算装置プリンタ部）と、釣銭釣札部３１０と、ハードディスク３１１と、ドライバ部３１２と、サインポール３１３と、発光部３１４と、バス３２０とを備える。ここで、ＣＰＵ３０１と、ＲＯＭ３０２と、ＲＡＭ３０３とは、一枚の処理基板（ＣＰＵ・ボックス・ブロック）の上に構成されていてもよい。ＣＰＵ３０１は、バス３２０を介して、精算装置３０の各部を制御する。
【００２３】
登録装置２０は、登録装置スキャナ部２０４と、店員用表示部２０５と、客用表示部２０５ａと、登録装置操作部２０６と、登録装置音声出力部２０８と、登録装置印刷部２０９（登録装置プリンタ部）と、バス２１０とを備える。精算装置３０のＣＰＵ３０１は、登録装置２０の登録装置スキャナ部２０４と、店員用表示部２０５と、客用表示部２０５ａと、登録装置操作部２０６と、登録装置音声出力部２０８と、登録装置印刷部２０９とに、バス２１０を介して接続され、これら各部を制御する。これにより、精算装置３０のＣＰＵ３０１は、精算装置３０における精算処理のみならず、登録装置２０における登録処理も実行する。
【００２４】
登録装置スキャナ部２０４は、商品に付されているバーコード（商品コード）を光学的に読み取る。
登録装置音声出力部２０８は、店員が操作を確認することが必要な場合などに、ブザー音を発生させる。
客用表示部２０５ａは、商品ファイルから取得した情報（例えば、商品の名称、商品の値段）を表示する。登録装置２０により商品を登録中である客は、客用表示部２０５ａに表示された情報を見ることができる。
【００２５】
図４には、店員用表示部に表示される画像の例が示されている。店員用表示部２０５は、種々の情報を表示する。例えば、店員用表示部２０５は、商品ファイル（商品マスタ）から取得した情報（例えば、商品の名称、値段）を表示する。また、店員用表示部２０５は、店員に対する種々の情報を表示する。
【００２６】
店員用表示部２０５は、タッチパネル（例えば、液晶タッチパネル）を有し、登録装置操作部２０６と一体で構成されてもよい。店員用表示部２０５は、画面内の領域に表示された操作キー（プリセットボタン）が操作されることにより、予め設定登録された商品情報（商品コード等）について、操作入力を受け付ける。
【００２７】
登録装置操作部２０６は、登録装置２０を動作させるための各種の操作キー（小計キー、現計キー、置数キー、訂正キー、品券キー及びプリセットキー等）を備える。例えば、登録装置操作部２０６は、操作キー（プリセットキー）が操作されることにより、そのプリセットキーに予め設定登録されている商品情報（商品コード等）について、操作入力を受け付ける。
【００２８】
精算装置３０のＣＰＵ３０１には、バス２１０を介して、商品の買上情報（取引データ）が登録装置２０から送信される。精算装置３０が同じレーンに複数配置されている場合、登録装置操作部２０６は、精算処理を実行する精算装置３０を指定するための操作入力（例えば、精算装置３０の識別番号を指定する操作入力）を受け付けてもよい。このように指定された精算装置３０のＣＰＵ３０１には、バス２１０を介して、商品の買上情報（取引データ）が送信される。
【００２９】
図３に戻り、ＰＯＳシステムの構成例の説明を続ける。登録装置印刷部２０９は、精算用コードを会計券（例えば、紙媒体）に印刷して、その会計券を発行する。精算用コードは、例えば、バーコード又は２次元コードとして、会計券に印刷されてもよい。客は、精算装置３０まで移動し、会計券に印刷された精算用コードを、精算装置３０に読み取らせることにより、その精算装置３０に精算処理を開始させることができる。
【００３０】
また、登録装置印刷部２０９は、売上情報（例えば、レジ取引明細）が印刷されたレポートを、精算装置３０のＣＰＵ３０１による制御に基づいて発行してもよい。また、登録装置印刷部２０９は、電子マネーやクレジットなどの決済端末を登録装置２０が有する場合には、決済が済んだ取引の明細が印刷されたレシートを発行してもよい。
【００３１】
精算装置スキャナ部３０４は、登録装置２０により会計券に印刷された精算用コード（２次元コード又はバーコード）を、光学的に読み取る。
ＲＡＭ３０３は、種々の情報を記憶する、随時読み出し書き込みメモリである。例えば、ＲＡＭ３０３は、ストアコントローラ１０から取得した商品ファイル、及び精算装置スキャナ部３０４によって読み取られた精算用コードによって特定される商品の買上情報（取引データ）などを記憶する。
【００３２】
釣銭釣札部３１０は、現金による商品の精算を実行し、精算結果（例えば、精算が完了したか否かを示す情報）を、バス３２０を介してＣＰＵ３０１に出力する。また、釣銭釣札部３１０は、ＣＰＵ３０１による制御に応じて、精算結果に基づく釣銭及び釣札の少なくとも一方を払い出してもよい。
【００３３】
ＲＯＭ３０２は、プログラムを記憶している読み出し専用メモリである。
ＣＰＵ３０１は、中央演算処理装置であり、ＲＯＭ３０２に記憶されているプログラムを読み出して実行することにより、精算装置３０及び登録装置２０の各部の動作を制御する。ＣＰＵ３０１は、商品の買上情報（取引データ）を、バス２１０を介して登録装置２０から受信する。商品の買上情報には、取引を識別するための識別番号が含まれていてもよい。ＣＰＵ３０１は、取引を識別するための識別番号により特定される商品の買上情報（取引データ）を、バス２１０を介して登録装置２０から受信する。なお、ＣＰＵ３０１は、取引を識別するための識別番号により特定される商品の買上情報（取引データ）を、通信部３０７を介してストアコントローラ１０から取得してもよい。
【００３４】
精算装置操作部３０６は、精算装置３０を動作させるための各種の操作キー（訂正キー及びプリセットキー等）を備える。例えば、精算装置操作部３０６は、操作キー（訂正キー）が操作されることにより、操作入力の訂正を受け付ける。
通信部３０７は、通信回線１１を介して、他の装置（図２を参照）と通信する。通信部３０７は、例えば、最新の商品ファイルを、ストアコントローラ１０から取得してもよい。
【００３５】
精算装置音声出力部３０８は、エラー等が発生した場合、エラーを報知するブザー音を発生させる。
精算装置印刷部３０９は、精算が完了した取引の明細が印刷されたレシートを発行する。また、精算装置印刷部３０９は、割引条件が印刷されたクーポン券を、必要に応じて発行してもよい。また、精算装置印刷部３０９は、売上情報（例えば、レジ取引明細）が印刷されたレポートを、ＣＰＵ３０１による制御に基づいて発行してもよい。
【００３６】
ハードディスク３１１は、ＲＡＭ３０３が記憶している商品ファイルを記憶する。
ドライバ部３１２は、サインポール３１３及び発光部３１４を動作させるためのドライバ回路である。ドライバ部３１２は、ＣＰＵ３０１による制御に基づいて、サインポール３１３及び発光部３１４を動作させる。
【００３７】
サインポール３１３は、ＣＰＵ３０１による制御に基づいて点灯又は点滅することにより、実行中の取引を強制終了させる旨を報知する。また、サインポール３１３は、精算装置３０が操作可能である旨を、ＣＰＵ３０１による制御に基づいて点灯又は点滅することにより報知してもよい。
【００３８】
発光部３１４は、ＣＰＵ３０１による制御に基づいて点灯又は点滅することにより、釣銭釣札部３１０の払出口などの位置を、客（操作者）に通知する。発光部３１４は、発光ダイオード（ＬＥＤ：Ｌｉｇｈｔ  Ｅｍｉｔｔｉｎｇ  Ｄｉｏｄｅ）を有していてもよい。
【００３９】
精算装置表示部３０５は、ＣＰＵ３０１による制御に基づいて画像を表示する。ここで、精算装置表示部３０５は、登録装置２０の店員用表示部２０５及び客用表示部２０５ａのいずれとも独立して、画像を表示可能である。
【００４０】
図５には、精算装置表示部に表示される精算処理の初期画面の例が示されている。図５に示す精算処理の初期画面には、一例として、文字列「お会計券を読ませるとスタートします」と、文字列「いらっしゃいませ！」と、キャラクタ画像とが表示されている。この精算処理の初期画面が表示されている状態で、客は、会計券に印刷された精算用コードを、精算装置スキャナ部３０４に読み取らせることにより、精算装置３０に精算処理を開始させることができる。予め定められた操作キーが操作された場合、ＣＰＵ３０１は、精算装置３０及び登録装置２０の少なくとも一方を休止させるための画像を、精算装置表示部３０５に表示させる。
【００４１】
図６には、精算装置及び登録装置の少なくとも一方を休止させるための画像の例が示されている。この画像は、予め定められた操作キーが操作された場合、精算装置表示部３０５に表示される。休止させるための画像には、文字列「メインメニューへ戻りますか？」と、操作キー「はい」と、操作キー「いいえ」と、操作キー「休止」（丸印で示された操作キー）とが表示される。操作キー「休止」が押下操作された場合、ＣＰＵ３０１は、精算装置３０を休止させる。また、ＣＰＵ３０１は、操作キー「休止」が押下操作された場合、登録装置２０を休止させてもよい。
【００４２】
なお、ＣＰＵ３０１は、操作キー「はい」が押下操作された場合、精算処理の初期画面を精算装置表示部３０５に再び表示させる。また、ＣＰＵ３０１は、店員番号が付されたバーコードを精算装置スキャナ部３０４が読み込んだ場合、精算処理の初期画面を精算装置表示部３０５に再び表示させてもよい。
【００４３】
図７には、精算装置が休止中であることを通知する画像の例が示されている。図７に示す休止中であることを通知する画像には、一例として、文字列「休止中」と、文字列「Ｓｏｒｒｙ，Ｎｏｔ  Ａｖａｉｌａｂｌｅ．Ｐｌｅａｓｅ  ｇｏ  ｔｏ  ｔｈｅ  ｎｅａｒｅｓｔ  ｃａｓｈ  ｒｅｇｉｓｔｅｒ．」と、文字列「恐れ入りますが他のレジをご利用ください  ご不便をおかけして大変申し訳ありません」と、店員の画像とが表示されている。この休止中であることを通知する画像が表示されている状態では、客は、会計券に印刷された精算用コードを、精算装置スキャナ部３０４に読み取らせたとしても、精算装置３０に精算処理を開始させることができない。予め定められた操作キーが操作された場合、ＣＰＵ３０１は、精算処理の初期画面を、精算装置表示部３０５に表示させる。
【００４４】
ＣＰＵ３０１は、精算装置３０及び登録装置２０がともに休止中に、精算装置表示部３０５又は店員用表示部２０５で操作キー「はい」が押下操作された場合、精算装置３０及び登録装置２０を休止中から動作中に移行させ、精算装置表示部３０５及び店員用表示部２０５の両方に、精算処理の初期画面などを表示させてもよい。この精算処理の初期画面は、精算装置３０及び登録装置２０で同じ画像でもよいし、異なる画像でもよい。
【００４５】
図８には、精算処理の初期画面を再表示させるための画像の例が示されている。この画像は、予め定められた操作キーが操作された場合、精算装置表示部３０５又は店員用表示部２０５に表示される。精算処理の初期画面を再表示させるための画像には、文字列「メインメニューへ戻りますか？」と、操作キー「はい」（丸印で示された操作キー）と、操作キー「いいえ」とが表示される。
【００４６】
ＣＰＵ３０１は、操作キー「はい」が押下操作された場合、精算処理の初期画面を精算装置表示部３０５に再び表示させる。また、ＣＰＵ３０１は、店員番号が付されたバーコードを精算装置スキャナ部３０４が読み込んだ場合、精算処理の初期画面を精算装置表示部３０５に再び表示させてもよい。
【００４７】
図９には、売上点検するための画像の例が示されている。この画像は、精算装置表示部３０５又は店員用表示部２０５に、レポート画面として表示される。売上点検（レポート出力）するための画像には、文字列「売上点検  レジ日計」と、操作キー「レジ取引明細」と、操作キー「レジ大分類別売上」と、操作キー「レジ中分類別売上」と、操作キー「レジ小分類別売上」と、操作キー「レジクラス別売上」と、操作キー「レジ売計キー」と、操作キー「レジ入出金」と、操作キー「レジ在高」と、操作キー「終了」とが表示される。
【００４８】
ＣＰＵ３０１は、精算装置表示部３０５に表示された操作キー「レジ取引明細」が押下操作された場合、精算装置３０の精算装置印刷部３０９に印刷を実行させ、精算装置印刷部３０９から、レジ取引明細が印字されたレポートを発行させる。一方、ＣＰＵ３０１は、店員用表示部２０５に表示された操作キー「レジ取引明細」が押下操作された場合、登録装置２０の登録装置印刷部２０９に印刷を実行させ、登録装置印刷部２０９から、レジ取引明細が印字されたレポートを発行させる。
【００４９】
なお、ＣＰＵ３０１は、登録装置印刷部２０９又は精算装置印刷部３０９が紙切れなどにより印刷不能である場合、紙切れにより印刷不能である旨を、精算装置表示部３０５、精算装置音声出力部３０８、サインポール３１３、店員用表示部２０５、又は、登録装置音声出力部２０８から報知させてもよい。また、ＣＰＵ３０１は、登録装置印刷部２０９又は精算装置印刷部３０９の一方が紙切れなどにより印刷不能である場合、登録装置印刷部２０９又は精算装置印刷部３０９のうち印刷可能である印刷部から、レポートを発行させてもよい。
【００５０】
以上のように、商品の登録処理を実行する登録装置と、商品の精算処理を実行する精算装置とを分離して配置するＰＯＳシステムにおいて、ＰＯＳシステムは、登録処理と精算処理との両方を実行するＣＰＵ３０１（処理部）を備える（図３を参照）。
【００５１】
この構成により、商品の登録処理を実行する登録装置２０と、商品の精算処理を実行する精算装置３０と、を分離して配置するＰＯＳシステムにおいて、ＣＰＵ３０１（処理部）は、登録処理と精算処理との両方を実行する。すなわち、登録装置２０の処理基板と、精算装置３０の処理基板とは、一体（一つの処理基板）となっている。これにより、実施形態に係るＰＯＳシステムは、登録装置２０及び精算装置３０のそれぞれがＣＰＵを備える場合と比較して、製造コストが低い。
【００５２】
また、ＰＯＳシステムは、登録装置２０に対する操作入力を受け付ける登録装置操作部２０６と、指示に基づいて印刷を実行する登録装置印刷部２０９と、を有する登録装置２０と、精算装置３０に対する操作入力を受け付ける精算装置操作部３０６と、指示に基づいて印刷を実行する精算装置印刷部３０９と、を有する精算装置３０と、を備え、処理部が、登録装置操作部が操作入力を受け付けた場合、登録装置印刷部に指示をして印刷を実行させ、精算装置操作部が操作入力を受け付けた場合には、精算装置印刷部に指示をして印刷を実行させてもよい。
【００５３】
この構成により、ＣＰＵ３０１（処理部）が、登録装置操作部２０６が操作入力を受け付けた場合、登録装置印刷部２０９に指示をして印刷を実行させ、精算装置操作部３０６が操作入力を受け付けた場合には、精算装置印刷部３０９に指示をして印刷を実行させる。これにより、ＰＯＳシステムは、登録装置２０又は精算装置３０のいずれを操作しているかをユーザに意識させることなく、そのユーザ（操作者）が操作した登録装置２０又は精算装置３０から、レシートを発行させることができる。換言すれば、ＣＰＵ３０１（処理部）は、登録装置印刷部２０９又は精算装置印刷部３０９を、店員による操作入力に基づいて選択して、選択した印刷部からレシートを発行させる。したがって、ＰＯＳシステムは、利便性が向上する。
【００５４】
登録装置２０は、店員用表示部２０５（第１表示部）を有する。精算装置３０は、精算装置表示部３０５（第２表示部）を有する。ＣＰＵ３０１（処理部）は、店員用表示部２０５（第１表示部）、及び、精算装置表示部３０５（第２表示部）に、画像を表示させる。
これにより、ＰＯＳシステムは、表示部をそれぞれ有する登録装置及び精算装置を分離して配置する場合でも、製造コストが低い。
【００５５】
登録装置操作部２０６は、予め定められた第１操作キーを介した操作入力を受け付ける。精算装置操作部３０６は、予め定められた第２操作キーを介した操作入力を受け付ける。ＣＰＵ３０１（処理部）は、登録処理又は精算処理の実行中に、第１操作キー又は第２操作キーが操作された場合でも、登録処理又は精算処理の実行を続けてもよい。
これにより、ＰＯＳシステムは、登録処理又は精算処理の実行を、途中で終了させないようにすることができる。
【００５６】
また、登録装置操作部２０６は、予め定められた第３操作キーを介した操作入力を受け付ける。精算装置操作部３０６は、予め定められた第４操作キーを介した操作入力を受け付ける。ＣＰＵ３０１（処理部）は、登録装置２０及び精算装置３０がともに休止中に、第３操作キー又は第４操作キーが操作された場合、登録装置２０及び精算装置３０を休止中から動作中に移行させてもよい。
この構成により、登録装置操作部２０６が、予め定められた第３操作キーを介した操作入力を受け付ける。また、精算装置操作部３０６が、予め定められた第４操作キーを介した操作入力を受け付ける。これにより、店員は、精算装置３０又は登録装置２０を操作するだけで、精算装置３０及び登録装置２０を休止中から動作中に移行させる（アイドル状態から移行させる）ことができる。
【００５７】
以上、この発明の実施形態について図面を参照して詳述してきたが、具体的な構成はこの実施形態に限られるものではなく、この発明の要旨を逸脱しない範囲の設計等も含まれる。
【００５８】
登録装置３０は、磁気カードリーダ（ＭＳＲ：Ｍａｇｎｅｔｉｃ  Ｓｔｒｉｐｅ  Ｒｅａｄｅｒ）を備えてもよい。登録装置３０は、カメラを備えてもよい。このカメラは、登録装置３０を操作する客を撮像してもよい。
【００５９】
また、ＣＰＵ３０１（例えば、図３を参照）は、自らが直接制御していない登録装置２０で登録された商品についても、精算処理を実行してもよい。
例えば、ＣＰＵ３０１は、精算装置スキャナ部３０４から読み込まれた精算用コードが、自らが直接制御する登録装置２０で登録された商品の精算用コードでない場合、読み込まれた精算用コードが示す取引データを、通信部３０７を介してストアコントローラ１０（例えば、図２を参照）から受信する。ＣＰＵ３０１は、ストアコントローラ１０から受信した取引データに基づいて、精算処理を実行する。
また、例えば、ＣＰＵ３０１は、自らが直接制御する登録装置２０で登録された商品の取引データを、自らが直接制御していない精算装置３０に、通信部３０７を介して送信してもよい。ＣＰＵ３０１は、この取引データの送信先に指定された精算装置３０の識別番号を、登録装置２０の登録装置操作部２０６を介した操作入力に基づいて認識してもよい。
また、例えば、ＣＰＵ３０１は、信号を変換する変換部（例えば、ＵＳＢ（Ｕｎｉｖｅｒｓａｌ  Ｓｅｒｉａｌ  Ｂｕｓ）規格に基づく信号と、ＲＳ２３２Ｃ規格に基づく信号とを変換する変換部）を介して、登録装置２０の各部を制御してもよい。
【００６０】
（付記１）
本発明の一態様は、商品の登録処理を実行する登録装置と、前記商品の精算処理を実行する精算装置と、を分離して配置するＰＯＳシステムにおいて、前記登録処理と、前記精算処理と、の両方を実行する処理部を備えることを特徴とするＰＯＳシステムである。
この構成により、商品の登録処理を実行する登録装置と、商品の精算処理を実行する精算装置と、を分離して配置するＰＯＳシステムにおいて、処理部は、登録処理と精算処理との両方を実行する。これにより、ＰＯＳシステムは、登録装置と精算装置とを分離して配置する場合でも、製造コストが低い。また、ＰＯＳシステムは、店員が登録装置を操作して精算装置を指定する際に、指定された精算装置と登録装置とが一つの処理基板により動作しているので、精算する対象の取引データを通信回線に送信することなく、当該処理基板の記憶媒体から取引データを直接読み出すだけでよい。これにより、ＰＯＳシステムは、取引データの読み出し速度が早く、通信回線がダウンした場合でもバスを介して取引データに基づく精算を実行することができる。
（付記２）
本発明の一態様は、前記登録装置が、第１表示部を有し、前記精算装置が、第２表示部を有し、前記処理部は、前記第１表示部及び前記第２表示部に画像を表示させることを特徴とするＰＯＳシステムである。
これにより、ＰＯＳシステムは、表示部をそれぞれ有する登録装置及び精算装置を分離して配置する場合でも、製造コストが低い。
（付記３）
本発明の一態様は、前記登録装置操作部は、予め定められた第１操作キーを介した操作入力を受け付け、前記精算装置操作部は、予め定められた第２操作キーを介した操作入力を受け付け、前記処理部は、前記登録処理又は前記精算処理の実行中に、前記第１操作キー又は前記第２操作キーが操作された場合でも、前記登録処理又は前記精算処理の実行を続けることを特徴とするＰＯＳシステムである。
これにより、ＰＯＳシステムは、登録処理又は精算処理の実行を、途中で終了させないようにすることができる。
（付記４）
本発明の一態様は、前記登録装置に対する操作入力を受け付ける登録装置操作部と、指示に基づいて印刷を実行する登録装置印刷部と、を有する前記登録装置と、前記精算装置に対する操作入力を受け付ける精算装置操作部と、指示に基づいて印刷を実行する精算装置印刷部と、を有する前記精算装置と、を備え、前記処理部が、前記登録装置操作部が操作入力を受け付けた場合、前記登録装置印刷部に指示をして印刷を実行させ、前記精算装置操作部が操作入力を受け付けた場合には、前記精算装置印刷部に指示をして印刷を実行させることを特徴とするＰＯＳシステムである。
この構成により、処理部が、登録装置操作部が操作入力を受け付けた場合、登録装置印刷部に指示をして印刷を実行させ、精算装置操作部が操作入力を受け付けた場合には、精算装置印刷部に指示をして印刷を実行させる。これにより、ＰＯＳシステムは、登録装置又は精算装置のいずれを操作しているかをユーザに意識させることなく、そのユーザ（操作者）が操作した登録装置又は精算装置から、レシートを発行させることができる。登録装置と精算装置とで向きが異なっていたり、登録装置と精算装置とがカウンタ越しに反対向きに設置されていた場合でも、操作された装置からレシートが発行されるので、店員は、離れた装置まで行かなくてもよい。つまり、ＰＯＳシステムは、利便性が向上する。
（付記５）
本発明の一態様は、前記登録装置操作部が、予め定められた第３操作キーを介した操作入力を受け付け、前記精算装置操作部が、予め定められた第４操作キーを介した操作入力を受け付け、前記処理部が、前記登録装置及び前記精算装置がともに休止中に、前記第３操作キー又は前記第４操作キーが操作された場合、前記登録装置及び前記精算装置を休止中から動作中に移行させることを特徴とするＰＯＳシステムである。
この構成により、登録装置操作部が、予め定められた第３操作キーを介した操作入力を受け付ける。また、精算装置操作部が、予め定められた第４操作キーを介した操作入力を受け付ける。これにより、店員は、精算装置３０又は登録装置２０を操作するだけで、精算装置３０及び登録装置２０を休止中から動作中に移行させる（アイドル状態から移行させる）ことができる。
【００６１】
なお、上記に説明したＰＯＳシステム、登録装置及び精算装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００６２】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６４】
１０…ストアコントローラ
１１…通信回線
２０…登録装置
３０…精算装置
１００…カウンタ
２００…店員
２０１…店員
２０４…登録装置スキャナ部
２０５…店員用表示部
２０５ａ…客用表示部
２０６…登録装置操作部
２０８…登録装置音声出力部
２０９…登録装置印刷部
２１０…バス
３０１…ＣＰＵ
３０２…ＲＯＭ
３０３…ＲＡＭ
３０４…精算装置スキャナ部
３０５…精算装置表示部
３０６…精算装置操作部
３０７…通信部
３０８…精算装置音声出力部
３０９…精算装置印刷部
３１０…釣銭釣札部
３１１…ハードディスク
３１２…ドライバ部
３１３…サインポール
３１４…発光部
３２０…バス
４００…客
４０１…客
４０２…客
４０３…客
【図１】
2018067364.tif 000003
【図２】
2018067364.tif 000004
【図３】
2018067364.tif 000005
【図４】
2018067364.tif 000006
【図５】
2018067364.tif 000007
【図６】
2018067364.tif 000008
【図７】
2018067364.tif 000009
【図８】
2018067364.tif 000010
【図９】
2018067364.tif 000011
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
店員の操作によって商品の登録処理を受け付ける登録部と、
客の操作によって前記商品の精算処理を受け付ける精算部と、
前記登録処理と、前記精算処理と、の両方を実行する処理部と、
前記登録部で受け付けた前記登録処理のデータを精算部に出力する出力部と、
を備えることを特徴とする精算装置。
【請求項２】
前記登録部で受け付けた前記登録処理のデータを入力する入力部を備えることを特徴とする、請求項１に記載の精算装置。
【請求項３】
前記登録部は、第１読取部を有し、
前記精算部は、第２読取部を有することを特徴とする、請求項１又は請求項２に記載の精算装置。
【請求項４】
現金による精算を行う現金処理部と、
電子マネー又はクレジットカードで精算を行う非現金処理部と
を有することを特徴とする請求項１から請求項３のいずれか一項に記載の精算装置。
【請求項５】
前記精算部において前記精算処理の情報を入力かつ表示する客用表示部と、
前記登録部において前記登録処理の情報を入力かつ表示する店員用表示部と、
前記客用表示部又は前記店員用表示部に対する操作に基づいて、前記精算部又は前記登録部の動作状態を変更する変更部と
を備え、
前記変更部は、前記客用表示部又は前記店員用表示部のうちの一方において操作を受け付けた場合、前記客用表示部又は前記店員用表示部のうちの他方の装置の動作状態を変更することを特徴とする、請求項１から請求項４のいずれか一項に記載の精算装置。
【請求項６】
前記変更部は、前記精算部又は前記登録部の状態を、利用状態又は休止状態に変更することを特徴とする、請求項５に記載の精算装置。
【請求項７】
登録部に設けられた登録部印刷部と、
精算部に設けられた精算部印刷部と、
前記登録部印刷部又は前記精算部印刷部へ印刷指示を行う印刷指示部と
を備え、
前記印刷指示部は、
前記登録部で前記印刷指示を行った場合、前記登録部印刷部又は前記精算部印刷部へ印刷指示を行い、
前記精算部で前記印刷指示を行った場合、前記登録部印刷部又は前記精算部印刷部へ印刷指示を行うことを特徴とする、請求項１から請求項６のいずれか一項に記載の精算装置。
【請求項８】
精算装置のコンピュータを、
店員の操作によって商品の登録処理を受け付ける登録手段と、
客の操作によって前記商品の精算処理を受け付ける精算手段と、
前記登録処理と、前記精算処理と、の両方を実行する処理手段と、
前記登録手段で受け付けた前記登録処理のデータを精算手段に出力する出力手段として機能させるためのプログラム。
【請求項９】
店員の操作によって商品の登録処理を受け付ける登録部と、
客の操作によって前記商品の精算処理を受け付ける精算部と、
前記登録処理と、前記精算処理と、の両方を実行する処理部と、
前記登録部で受け付けた前記登録処理のデータを自装置の精算部もしくは自装置以外の他の精算装置に出力する出力部と、を有する複数の精算装置
を備えるＰＯＳシステム。
【手続補正２】
【補正対象書類名】明細書
【補正対象項目名】０００６
【補正方法】変更
【補正の内容】
【０００６】
本発明の一態様に係る精算装置は、店員の操作によって商品の登録処理を受け付ける登録部と、客の操作によって前記商品の精算処理を受け付ける精算部と、前記登録処理と、前記精算処理と、の両方を実行する処理部と、前記登録部で受け付けた前記登録処理のデータを精算部に出力する出力部と、を備える。
【手続補正３】
【補正対象書類名】明細書
【補正対象項目名】０００７
【補正方法】変更
【補正の内容】
【０００７】
上記精算装置は、前記登録部で受け付けた前記登録処理のデータを入力する入力部を備えるものであってもよい。また、前記登録部は、第１読取部を有し、前記精算部は、第２読取部を有していてもよい。また、現金による精算を行う現金処理部と、電子マネー又はクレジットカードで精算を行う非現金処理部とを有していてもよい。
【手続補正４】
【補正対象書類名】明細書
【補正対象項目名】０００８
【補正方法】変更
【補正の内容】
【０００８】
前記精算部において前記精算処理の情報を入力かつ表示する客用表示部と、前記登録部において前記登録処理の情報を入力かつ表示する店員用表示部と、前記客用表示部又は前記店員用表示部に対する操作に基づいて、前記精算部又は前記登録部の動作状態を変更する変更部とを備え、前記変更部は、前記客用表示部又は前記店員用表示部のうちの一方において操作を受け付けた場合、前記客用表示部又は前記店員用表示部のうちの他方の装置の動作状態を変更するものであってもよい。
【手続補正５】
【補正対象書類名】明細書
【補正対象項目名】０００９
【補正方法】変更
【補正の内容】
【０００９】
前記変更部は、前記精算部又は前記登録部の状態を、利用状態又は休止状態に変更するものであってもよい。
【手続補正６】
【補正対象書類名】明細書
【補正対象項目名】００１０
【補正方法】変更
【補正の内容】
【００１０】
上記精算装置は、登録部に設けられた登録部印刷部と、精算部に設けられた精算部印刷部と、前記登録部印刷部又は前記精算部印刷部へ印刷指示を行う印刷指示部とを備え、前記印刷指示部は、前記登録部で前記印刷指示を行った場合、前記登録部印刷部又は前記精算部印刷部へ印刷指示を行い、前記精算部で前記印刷指示を行った場合、前記登録部印刷部又は前記精算部印刷部へ印刷指示を行うものであってもよい。
本発明の他の態様に係るプログラムは、精算装置のコンピュータを、店員の操作によって商品の登録処理を受け付ける登録手段と、客の操作によって前記商品の精算処理を受け付ける精算手段と、前記登録処理と、前記精算処理と、の両方を実行する処理手段と、前記登録手段で受け付けた前記登録処理のデータを精算手段に出力する出力手段として機能させるためのプログラムである。
本発明の他の態様に係るＰＯＳシステムは、店員の操作によって商品の登録処理を受け付ける登録部と、客の操作によって前記商品の精算処理を受け付ける精算部と、前記登録処理と、前記精算処理と、の両方を実行する処理部と、前記登録部で受け付けた前記登録処理のデータを自装置の精算部もしくは自装置以外の他の精算装置に出力する出力部と、を有する複数の精算装置を備える。
【手続補正７】
【補正対象書類名】明細書
【補正対象項目名】００１１
【補正方法】変更
【補正の内容】
【００１１】
本発明によれば、精算部は、客の操作入力によって前記商品の精算処理を受け付ける。処理部は、登録処理と精算処理との両方を実行する。出力部は、登録部で受け付けた登録処理のデータを精算部に出力する。これにより、利便性が向上した上で、製造コストが低くなる。
【手続補正８】
【補正対象書類名】明細書
【補正対象項目名】００６０
【補正方法】変更
【補正の内容】
【００６０】
（付記１）
本発明の一態様は、商品の登録処理を実行する登録装置と、前記商品の精算処理を実行する精算装置と、を分離して配置するＰＯＳシステムにおいて、前記登録処理と、前記精算処理と、の両方を実行する処理部を備えることを特徴とするＰＯＳシステムである。
この構成により、商品の登録処理を実行する登録装置と、商品の精算処理を実行する精算装置と、を分離して配置するＰＯＳシステムにおいて、処理部は、登録処理と精算処理との両方を実行する。これにより、ＰＯＳシステムは、登録装置と精算装置とを分離して配置する場合でも、製造コストが低い。また、ＰＯＳシステムは、店員が登録装置を操作して精算装置を指定する際に、指定された精算装置と登録装置とが一つの処理基板により動作しているので、精算する対象の取引データを通信回線に送信することなく、当該処理基板の記憶媒体から取引データを直接読み出すだけでよい。これにより、ＰＯＳシステムは、取引データの読み出し速度が早く、通信回線がダウンした場合でもバスを介して取引データに基づく精算を実行することができる。
（付記２）
本発明の一態様は、前記登録装置が、第１表示部を有し、前記精算装置が、第２表示部を有し、前記処理部は、前記第１表示部及び前記第２表示部に画像を表示させることを特徴とするＰＯＳシステムである。
これにより、ＰＯＳシステムは、表示部をそれぞれ有する登録装置及び精算装置を分離して配置する場合でも、製造コストが低い。
（付記３）
本発明の一態様は、前記登録装置操作部は、予め定められた第１操作キーを介した操作入力を受け付け、前記精算装置操作部は、予め定められた第２操作キーを介した操作入力を受け付け、前記処理部は、前記登録処理又は前記精算処理の実行中に、前記第１操作キー又は前記第２操作キーが操作された場合でも、前記登録処理又は前記精算処理の実行を続けることを特徴とするＰＯＳシステムである。
これにより、ＰＯＳシステムは、登録処理又は精算処理の実行を、途中で終了させないようにすることができる。
（付記４）
本発明の一態様は、前記登録装置に対する操作入力を受け付ける登録装置操作部と、指示に基づいて印刷を実行する登録装置印刷部と、を有する前記登録装置と、前記精算装置に対する操作入力を受け付ける精算装置操作部と、指示に基づいて印刷を実行する精算装置印刷部と、を有する前記精算装置と、を備え、前記処理部が、前記登録装置操作部が操作入力を受け付けた場合、前記登録装置印刷部に指示をして印刷を実行させ、前記精算装置操作部が操作入力を受け付けた場合には、前記精算装置印刷部に指示をして印刷を実行させることを特徴とするＰＯＳシステムである。
この構成により、処理部が、登録装置操作部が操作入力を受け付けた場合、登録装置印刷部に指示をして印刷を実行させ、精算装置操作部が操作入力を受け付けた場合には、精算装置印刷部に指示をして印刷を実行させる。これにより、ＰＯＳシステムは、登録装置又は精算装置のいずれを操作しているかをユーザに意識させることなく、そのユーザ（操作者）が操作した登録装置又は精算装置から、レシートを発行させることができる。登録装置と精算装置とで向きが異なっていたり、登録装置と精算装置とがカウンタ越しに反対向きに設置されていた場合でも、操作された装置からレシートが発行されるので、店員は、離れた装置まで行かなくてもよい。つまり、ＰＯＳシステムは、利便性が向上する。
（付記５）
本発明の一態様は、前記登録装置操作部が、予め定められた第３操作キーを介した操作入力を受け付け、前記精算装置操作部が、予め定められた第４操作キーを介した操作入力を受け付け、前記処理部が、前記登録装置及び前記精算装置がともに休止中に、前記第３操作キー又は前記第４操作キーが操作された場合、前記登録装置及び前記精算装置を休止中から動作中に移行させることを特徴とするＰＯＳシステムである。
この構成により、登録装置操作部が、予め定められた第３操作キーを介した操作入力を受け付ける。また、精算装置操作部が、予め定められた第４操作キーを介した操作入力を受け付ける。これにより、店員は、精算装置３０又は登録装置２０を操作するだけで、精算装置３０及び登録装置２０を休止中から動作中に移行させる（アイドル状態から移行させる）ことができる。
（付記６）
本発明の一態様は、店員の操作によって商品の登録処理を受け付ける登録部と、客の操作によって前記商品の精算処理を受け付ける精算部と、前記登録処理と、前記精算処理と、の両方を実行する処理部と、前記登録部で受け付けた前記登録処理のデータを自装置以外の他の精算装置に送信する送信部と、を備えることを特徴とする精算装置である。
この構成により、精算部は、客の操作入力によって前記商品の精算処理を受け付ける。処理部は、登録処理と精算処理との両方を実行する。送信部は、登録部で受け付けた登録処理のデータを自装置以外の他の精算装置に送信する。これにより、精算装置を備えるＰＯＳシステムは、登録装置と精算装置とを分離して配置する場合でも、利便性が向上した上で、製造コストが低い。また、ＰＯＳシステムは、店員が登録装置を操作して精算装置を指定する際に、指定された精算装置と登録装置とが一つの処理基板により動作しているので、精算する対象の取引データを通信回線に送信することなく、当該処理基板の記憶媒体から取引データを直接読み出すだけでよい。これにより、ＰＯＳシステムは、取引データの読み出し速度が早く、通信回線がダウンした場合でもバスを介して取引データに基づく精算を実行することができる。
（付記７）
本発明の一態様は、他の精算装置が備える他の前記登録部で受け付けた前記登録処理のデータを受信する受信部を備えることを特徴とする精算装置である。
（付記８）
本発明の一態様は、前記精算部において前記精算処理の情報を入力かつ表示する客用表示部と、前記登録部において前記登録処理の情報を入力かつ表示する店員用表示部と、前記客用表示部又は前記店員用表示部に対する操作に基づいて、前記精算部又は前記登録部の動作状態を変更する変更部とを備え、前記変更部は、前記客用表示部又は前記店員用表示部のうちの一方において操作を受け付けた場合、前記客用表示部又は前記店員用表示部のうちの他方の装置の動作状態を変更することを特徴とする、請求項１又は請求項２に記載の精算装置である。
（付記９）
本発明の一態様は、前記変更部は、前記精算部又は前記登録部の状態を、利用状態又は休止状態に変更することを特徴とする精算装置である。
（付記１０）
本発明の一態様は、登録部に設けられた登録部印刷部と、精算部に設けられた精算部印刷部と、前記登録部印刷部又は前記精算部印刷部へ印刷指示を行う印刷指示部とを備え、前記印刷指示部は、前記登録部で前記印刷指示を行った場合、前記登録部印刷部又は前記精算部印刷部へ印刷指示を行い、前記精算部で前記印刷指示を行った場合、前記登録部印刷部又は前記精算部印刷部へ印刷指示を行うことを特徴とする精算装置である。
（付記１１）
本発明の一態様は、精算装置のコンピュータを、店員の操作によって商品の登録処理を受け付ける登録手段と、客の操作によって前記商品の精算処理を受け付ける精算手段と、前記登録処理と、前記精算処理と、の両方を実行する処理手段と、前記登録手段で受け付けた前記登録処理のデータを自装置以外の他の精算装置に送信する送信手段として機能させるためのプログラムである。
（付記１２）
本発明の一態様は、店員の操作によって商品の登録処理を受け付ける登録部と、客の操作によって前記商品の精算処理を受け付ける精算部と、前記登録処理と、前記精算処理と、の両方を実行する処理部と、前記登録部で受け付けた前記登録処理のデータを自装置の精算部もしくは自装置以外の他の精算装置に送信する送信部と、を有する複数の精算装置を備えるＰＯＳシステムである。
付記６〜１２によれば、精算部は、客の操作入力によって前記商品の精算処理を受け付ける。処理部は、登録処理と精算処理との両方を実行する。送信部は、登録部で受け付けた登録処理のデータを自装置以外の他の精算装置に送信する。これにより、精算装置を備えるＰＯＳシステムは、登録装置と精算装置とを分離して配置する場合でも、利便性が向上した上で、製造コストが低くなる。